(57)【要約】【課題】前面枠に対する機構板の取付作業が容易に行なえるようにして、その取付作業の能率向上を図ることができるようにした弾球遊技機を提供する。【解決手段】遊技盤５が装着される前面枠２の裏面一側に、その上下に位置する分離可能な軸着部８を介して前記遊技盤５の裏面を覆う機構板７が回動自在に設けられる弾球遊技機Ｐであって、前記両軸着部８（８ａ），８（８ｂ）の少なくとも一方は、前記前面枠２側または前記機構板７側のいずれか一方に設けられ中心軸線に沿って上下に摺動する可動支軸１７を備えた軸ケース１０と、他方に設けられ上下に貫通する軸孔１１を備えた支持板９と、からなり、前記可動支軸１７は、弾発手段２２により常に前記軸ケース１０から外側へ突出するように付勢され、かつ、突出した状態で前記軸孔１１に挿通される構成からなる。【選択図】　図２
2004121753.tif 000002
【特許請求の範囲】
【請求項１】
遊技盤が装着される前面枠の裏面一側に、その上下に位置する分離可能な軸着部を介して前記遊技盤の裏面を覆う機構板が回動自在に設けられる弾球遊技機であって、
前記両軸着部の少なくとも一方は、前記前面枠側または前記機構板側のいずれか一方に設けられ中心軸線に沿って上下に摺動する可動支軸を備えた軸ケースと、他方に設けられ上下に貫通する軸孔を備えた支持板と、からなり、前記可動支軸は、弾発手段により常に前記軸ケースから外側へ突出するように付勢され、かつ、突出した状態で前記軸孔に挿通されることを特徴とする弾球遊技機。
【請求項２】
遊技盤が装着される前面枠の裏面一側に、その上下に位置する分離可能な軸着部を介して前記遊技盤の裏面を覆う機構板が回動自在に設けられる弾球遊技機であって、
前記上の軸着部は、前記前面枠側に設けられ上下に貫通する軸孔を備えた支持板と、前記機構板側に設けられ中心軸線に沿って上下に摺動しかつ弾発手段により常に上方へ突出するように付勢される可動支軸を備えた軸ケースと、からなり、また、前記下の軸着部は、前記前面枠側に設けられ上向きの支軸を突設した支軸保持板と、前記機構板側に設けられ前記支軸に上側から嵌合する軸孔を開設した支持板と、からなり、前記可動支軸は、突出した状態で前記軸孔に挿通されることを特徴とする弾球遊技機。
【請求項３】
前記弾発手段は、前記可動支軸に巻装するように配置された圧縮コイルバネである請求項１または２記載の弾球遊技機。
【発明の詳細な説明】
【０００１】
【発明の属する技術分野】
本発明は、前面枠の裏面に遊技盤を嵌入する遊技盤取付枠を設けると共にその一側に前記遊技盤の裏面を覆う機構板を回動自在に軸着するようにした弾球遊技機に関するものである。
【０００２】
【従来の技術】
従来の弾球遊技機の一つであるパチンコ遊技機は、前面枠の裏面に遊技盤を嵌入固定する方形状の遊技盤取付枠が設けられ、その一側に上下に配置される分離可能な軸着部を介して前記遊技盤の裏面を覆う機構板が回動自在に設けられている。前記両軸着部は、遊技盤取付枠に設けられ上下に貫通する軸孔を備えた支持板と、機構板に設けられ下向きの支軸を突設した支軸保持板と、からなる（例えば、特許文献１参照。）。
【０００３】
【特許文献１】
特開２００１−２５９１９１号公報（第２−３頁、図１、図４）
【０００４】
【発明が解決しようとする課題】
そこで、前記機構板を前記遊技盤取付枠に軸着するには、遊技盤取付枠側の上下に配置された各支持板の軸孔に、機構板側の上下に配置された各支軸保持板の支軸をそれぞれ上側から落とし込むようにして嵌合させることになる。これを作業者が一人で行なう場合、先に下の支軸を軸孔に挿通し、後から上の支軸をこれと対応する軸孔に挿通させることになるが、例えば、下の支軸を軸孔に入れすぎると上の支持板が障害となって上の支軸がこれと対応する軸孔に入らなくなってしまうなどその調整が難しいことから作業が容易に行なえず、作業性に劣るといった課題がある。
【０００５】
そこで、本発明は上記課題を解決すべくなされたもので、前面枠に対する機構板の取付作業が容易に行なえるようにして、その作業の能率向上を図るようにした弾球遊技機を提供することを目的とするものである。
【０００６】
【課題を解決するための手段】
かかる目的を達成するため、本発明に係る弾球遊技機は、遊技盤が装着される前面枠の裏面一側に、その上下に位置する分離可能な軸着部を介して前記遊技盤の裏面を覆う機構板が回動自在に設けられる弾球遊技機であって、前記両軸着部の少なくとも一方は、前記前面枠側または前記機構板側のいずれか一方に設けられ中心軸線に沿って上下に摺動する可動支軸を備えた軸ケースと、他方に設けられ上下に貫通する軸孔を備えた支持板と、からなり、前記可動支軸は、弾発手段により常に前記軸ケースから外側へ突出するように付勢され、かつ、突出した状態で前記軸孔に挿通される構成からなる。このように、可動支軸はその中心軸線に沿って上下に摺動するので、例えば、先に支軸を軸孔に入れすぎたとしても、可動支軸を軸ケースに没入させてこれと対応する支持板を避けることができるので、前記支持板が障害となることはなく可動支軸を軸孔へ挿通して軸着できる。これにより、上または下の一方の軸着部のみに注意を払いつつ作業をすればよいから、作業が容易に行なえることになる。
【０００７】
具体的な形態として、例えば、遊技盤が装着される前面枠の裏面一側に、その上下に位置する分離可能な軸着部を介して前記遊技盤の裏面を覆う機構板が回動自在に設けられるようにした弾球遊技機であって、前記上の軸着部は、前記前面枠側に設けられ上下に貫通する軸孔を備えた支持板と、前記機構板側に設けられ中心軸線に沿って上下に摺動しかつ弾発手段により常に上方へ突出するように付勢される可動支軸を備えた軸ケースと、からなり、また、前記下の軸着部は、前記前面枠側に設けられ上向きの支軸を突設した支軸保持板と、前記機構板側に設けられ前記支軸に上側から嵌合する軸孔を開設した支持板と、からなり、前記可動支軸は、突出した状態で前記軸孔に挿通される構成が採られる。
【０００８】
前記弾発手段を前記可動支軸に巻装するように配置された圧縮コイルバネにすれば、軸ケースが小さくコンパクトに成形でき、しかも、構成も簡単となって成形が容易になる。
【０００９】
【発明の実施の形態】
以下、本発明に係る弾球遊技機の実施の形態を図面に基づき説明する。なお、弾球遊技機には、例えばパチンコ遊技機、アレンジボールまたは雀球遊技機があるが、本発明にあっては、一例としてパチンコ遊技機について説明する。図１は本発明が適用されるパチンコ遊技機の裏面図。図２は機構板を外した前面枠の裏面斜視図である。
【００１０】
図において、１はパチンコ遊技機Ｐの機枠であって縦長方形枠状に成形されており、該機枠１に前面枠２が装着される。前面枠２には、そのほぼ中央に窓開口３が開設され、前面枠２の裏面に前記窓開口３を囲うようにして方形状の遊技盤取付枠４が設けられる。この遊技盤取付枠４は、上部に位置する上辺部４ａと左右に位置する側辺部４ｂ，４ｃと下部に位置する腰板部４ｄからなる。そして、図２鎖線に示すように裏側から腰板部４ｄの上面に乗るようにして前記遊技盤取付枠４内に遊技盤５が嵌入される。遊技盤５の裏面には、入賞球としてその裏面に導かれたパチンコ球を寄せ集めパチンコ遊技機Ｐ外に排出するための入賞球集合カバー６が取付けられている。
【００１１】
前記遊技盤取付枠４の一側、すなわち図２では右側の側辺部４ｃに、前記遊技盤５の裏面を覆う合成樹脂製の機構板７が開閉自在に軸着されている。前記軸着部８は上下に一対配置され、しかも、各軸着部８は分離可能に設けられている。上の軸着部８（８ａ）は、前記遊技盤取付枠４の左の側辺部４ｃに設けられる支持板９と、これと対応して前記機構板７に設けられる軸ケース１０とからなる。前記支持板９は下端に水平板部９ａを有し、この水平板部９ａに上下に貫通する軸孔１１が設けられている。そして、支持板９が螺子１２止めにより遊技盤取付枠４の後端面に固着される。
【００１２】
前記軸ケース１０は、図３に示すように上下両端面を開放した縦孔１３が貫設されるケース本体の一側に、螺子挿通孔１５を設けた取付板１６を突設して成形されている。前記縦孔１３内には上端部が先細り状に成形される可動支軸１７が上下に摺動自在に嵌入される。可動支軸１７の外径寸法は、縦孔１３の内径寸法よりやや小さく設定されており、可動支軸１７の外周面の上下部にそれぞれ前記縦孔１３の内周面に摺接し可動支軸１７の動作を円滑にさせる環状ガイド部１８が周設されている。また、可動支軸１７の下側外周面の両側に中心軸線と平行な一対の凹溝１９が下端まで達するようにして刻設されている。更に、可動支軸１７の下端面には、その中心に螺子孔２０が設けられる。２１は、外径寸法が前記縦孔１３の内径寸法より大きいストッパー部材であって鍔付螺子状に成形され、螺子部２１ａを前記螺子孔２０に螺子締めすることにより前記可動支軸１７下端に取り付けられる。
【００１３】
前記縦孔１３に可動支軸１７を挿通するとき、該可動支軸１７の外周面であって前記下の環状ガイド部１８の下側に圧縮コイルバネ２２が巻装される。この圧縮コイルバネ２２は、その上端が前記下の環状ガイド部１８に当接し、かつ下端が縦孔１３の下端内周面に突設され前記凹溝１９に摺動自在に嵌入する突子２３に当接される。これにより、前記可動支軸１７は、縦孔１３内をその中心軸線に沿って上下に摺動しかつ圧縮コイルバネ２２により常に上方へ突出するように付勢され、ストッパー部材２１が縦孔１３の下端面に当接した状態で停止する。これにより、可動支軸１７が前記軸ケース１０から自在に出没することとなり、突出した状態では前記軸孔１１に下側から挿通されることになる。軸ケース１０は、機構板７側の所定位置に前記螺子挿通孔１５と対応させて設けられた螺子孔７ａに、螺子挿通孔１５を介して螺子１２を螺子締めすることにより取り付けられる。
【００１４】
一方、前記下の軸着部８（８ｂ）は、図４に示すように前記遊技盤取付枠４の下側に設けられる支軸保持板２４と、これに対応して機構板７に設けられる支持板２５とからなる。支軸保持板２４は、下端に水平板部２４ａを有し、この水平板部２４ａの上面に上向きの支軸２６が突設され、螺子２７止めにより遊技盤取付枠４の後端面に固着される。また、前記支持板２５も、下端に水平板部２５ａを有し、この水平板部２５ａに上下に貫通する軸孔２８が貫設されている。また、前記支持板２５には、複数の螺子孔２９が設けられ、これらと対応させて機構板７に設けられた螺子挿通孔３０を介して前記螺子孔２９に螺子３１を螺締めすることにより、機構板７に支持板２５が固着される。
【００１５】
前記遊技盤取付枠４側の上下の軸孔１１と支軸２６は同一軸線上に配置され、同様に機構板７側の上下の可動支軸１７と軸孔２８も同一軸線上に配置されている。しかも、上下の間隔はいずれもほぼ同じに設定される。そして、図５に示すように、先に遊技盤取付枠４側の下の支軸２６に機構板７側の下の軸孔２８を上側から嵌合する。後で、機構板７側の上の可動支軸１７を図５鎖線に示すように圧縮コイルバネ２２の弾性に抗して下げた状態で、軸ケース１０を遊技盤取付枠４側の上の軸孔１１の下側に配置し、前記圧縮コイルバネ２２を開放させて可動支軸１７を突出させると共に軸孔１１に下側から挿通させる。これにより、機構板７が、遊技盤取付枠４に回動自在に軸着される。また、この際、可動支軸１７を引き下げれば支持板９を避けることができるようになっているので、その支持板９が障害となることはない。よって、上または下の一方の軸着部８ａ，８ｂのみに注意を払いつつ作業をすればよく、作業が容易に行なえることになる。機構板７を取り外す場合は、可動支軸１７を圧縮コイルバネ２２の弾性に抗して引き下げて可動支軸１７を軸孔１１から抜いた後に、機構板を７を引き上げて支軸２６から軸孔２８を抜くようにする。
【００１６】
本実施の形態にあっては、遊技盤取付枠４側の上・下にそれぞれ軸孔１１、支軸２６を配置し、機構板７側の上下にそれぞれ可動支軸１７、軸孔２８を配置するようにしたが、これ以外に、例えば、遊技盤取付枠４側の上・下にそれぞれ上向きの可動支軸１７、軸孔２８を配置し、機構板７側の上下にそれぞれ軸孔１１、下向きの支軸２６を配置し、これらを軸支するようにしても良い。また、軸ケース１０を二つ使用して、遊技盤取付枠４側の上・下にそれぞれ上向きの可動支軸１７、軸孔２８を配置し、機構板７側の上下にそれぞれ軸孔１１、下向きの可動支軸１７を配置し、これらを軸支するようにしても良い。このように、可動支軸１７等をそれぞれ位置、向きを違えて配置することにより、自在に構成することができる。また、弾発手段は、前記圧縮コイルバネ２２以外に、板バネ、引張コイルバネ、伸縮自在な弾性紐であってもよい。
【００１７】
前記機構板７には、その中央部に前記入賞球集合カバー６が臨む開口３３が開設され、裏面の上部にパチンコ球を貯留する球タンク３４が配置されている。また、球タンク３４の下方に、該球タンク３４から排出されるパチンコ球を一側に設けられたパチンコ球払出装置３６に供給するタンクレール３５が配設されている。前記パチンコ球払出装置３６の下方には、該パチンコ球払出装置３６から払い出されたパチンコ球を前側の打球供給皿（図示せず。）に排出するパチンコ球払出樋３７が設けられる。更に、その下方に、そこからオーバーフローしたパチンコ球を前側の余剰球貯留皿（図示せず。）に排出するパチンコ球排出樋３８が設けられている。
【００１８】
前記遊技盤取付枠４の上辺部４ａの一箇所および前記軸着部８と対向位置する左側の側辺部４ｂの上下二箇所に、それぞれ前記遊技盤５の裏面に重合した機構板７をその裏側から圧接して固定する機構板固定具３９が設けられている。各機構板固定具３９は、図６に示すように遊技盤取付枠４の後端面に固着される支軸部材４０と、該支軸部材４０に回動自在に装着され機構板７の裏面に圧接する係止部材４１と、からなる。
【００１９】
前記支軸部材４０は、縦長の取付板４２の前面に軸ピン４３を突設して成形され、その後端面に軸孔４３ａが開設されている。そして、前記取付板４２の両端部に設けられた螺子挿通孔４４と遊技盤取付枠４の後端面に設けられた螺子孔４５を合致させ、各螺子挿通孔４４を介して各螺子孔４５に螺子４６を螺合させることにより、支持部材４０が遊技盤取付枠４の後端面に固着される。
【００２０】
係止部材４１は、縦長の基板４７の一側上面に指で操作し得るようにするための指掛け部４８が突設され、他側下面に前記軸ピン４３に嵌着される空洞状の嵌着筒部４９を突設して成形されている。また、基板４７の前記他側に、嵌着筒部４９の中心軸と同一軸心上に嵌着筒部４９の内部と連通する螺子挿通孔５０が貫設されている。基板４７の前記一側下面には、図８に示すように球面状に突出する突部５１が設けられる。これは、後記する凹窪５５に嵌合して係止部材４１の回動位置をしっかりと保持するためのものである。そして、前記軸ピン４３に嵌着筒部４９を嵌着し、螺子挿通孔５０を介して軸ピン４３の後端面に設けられた螺子孔４３ａに螺子５２を螺締することにより、係止部材４１が軸ピン４３を中心として遊技盤取付枠４の後端面と平行な面内で回動自在に軸着される。
【００２１】
一方、図７に示すように機構板７の外周縁には、前記機構板固定具３９と対応位置して外周縁から機構板７面に沿って外方へ突出する突片部５３が一体に設けられている。そして、各突片部５３に、前記機構板７が前記遊技盤５の裏面に重合したとき前記軸ピン４３が嵌入できかつ該機構板７の開閉動作に伴い前記係止部材４１が通過し得る溝５４が設けられている。各溝５４は、遊技盤取付枠４の上辺部４ａ側にあっては縦方向に、また、側辺部４ｂ側にあっては横方向に成形され、いずれも突片部５３の外周縁部で開放している。
【００２２】
すなわち、前記上辺部４ａ側の機構板固定具３９をほぼ鉛直方向、側辺部４ｂ側の各機構板固定具３９をほぼ水平方向に回動位置させた状態で、各機構板固定具３９が各溝５４内を通過でき、機構板７が支障なく開閉動作できるようになっている。このため、各溝５４の幅は、前記軸ピン４３の外径寸法とほぼ同じ、正確には軸ピン４３に嵌着される嵌着筒部４９の外径寸法とほぼ同じ寸法に設定してある。５５は機構板７における突片部５３の所定位置に設けられ前記突部５１が嵌り込む凹窪である。
【００２３】
また、前記遊技盤取付枠４における左側の側辺部４ｂの二箇所と右側の側辺部４ｃの一箇所に、それぞれ嵌入された遊技盤５を固定するための固定具５６が設けられている。これら固定具５６は、遊技盤取付枠４の後端面に軸杆５７により軸着され、遊技盤５の裏面に摺接するようにして自在に回動する。そして、遊技盤取付枠４の左・右側の側辺部４ｂ，４ｃから内側へ回動させて遊技盤５の裏面に固定具５６を圧接することにより、遊技盤５がしっかりと固定される。また、固定具５６を反対に左・右側の側辺部４ｂ，４ｃの外側へ回動させることにより、遊技盤５が取り外せることになる。
【００２４】
そして、前面枠２の裏側から遊技盤取付枠４に遊技盤５を嵌入し、各固定具５６を内側へ回動させて圧接固定する。また、前記したように遊技盤取付枠４の一側に機構板７を軸着し、機構板７を閉じるように回動して遊技盤５の裏側に重合させると共に各溝５４に各係止部材４１を通過させる。最後に、図７、図８に示すように機構板７の裏面から後側に位置する各係止部材４１を図７鎖線位置まで矢視方向へ回動させ、裏面の突部５１を凹窪５５に嵌入させる。これにより、機構板７が各機構板固定具３９によってしっかりと固定されることになる。また、機構板７を開ける場合は、前記各係止部材４１を前記方向とは逆方向へ回動させ、各係止部材４１が各溝５４に重なるようにした状態で開ける。
【００２５】
【発明の効果】
以上説明したように本発明に係る弾球遊技機は、前面枠と機構板との上下一対の軸着部の少なくとも一方に、上下に摺動しかつ弾発手段により常に外側へ突出するように付勢されかつ支持板の軸孔に挿通される可動支軸を備えた軸ケースを設けるようにしたので、前記支持板が障害となることなく軸着でき、これにより、上または下の一方の軸着部のみに注意を払いつつ作業をすればよいから、作業が容易に行なえ、引いては、その取付作業の能率向上を図ることができるという効果がある。
【００２６】
また、弾発手段を可動支軸に巻装するように配置された圧縮コイルバネとすれば、軸ケースができる限り小さくコンパクトに成形でき、しかも、構成も簡単となって成形が容易になるという効果も有る。
【図面の簡単な説明】
【図１】本発明が適用されるパチンコ遊技機の裏面図。
【図２】機構板を外した前面枠の裏面斜視図。
【図３】上の軸着部部分の分解斜視図。
【図４】下の軸着部部分の分解斜視図。
【図５】上下の軸着部部分の側面断面図。
【図６】機構板固定具部分の分解斜視図。
【図７】パチンコ遊技機の上部を示す裏面図。
【図８】図７のＸ−Ｘ線断面図。
【符号の説明】
２　　　　　　　　　　前面枠
４　　　　　　　　　　遊技盤取付枠
５　　　　　　　　　　遊技盤
７　　　　　　　　　　機構板
８　　　　　　　　　　軸着部
８ａ　　　　　　　　　上の軸着部
８ｂ　　　　　　　　　下の軸着部
９　　　　　　　　　　支持板
１０　　　　　　　　　軸ケース
１１　　　　　　　　　軸孔
１７　　　　　　　　　可動支軸
２２　　　　　　　　　弾発手段（圧縮コイルバネ）
２４　　　　　　　　　支軸保持板
２５　　　　　　　　　支持板
２６　　　　　　　　　支軸
２８　　　　　　　　　軸孔
Ｐ　　　　　　　　　　弾球遊技機（パチンコ遊技機）
【図１】
2004121753.tif 000003
【図２】
2004121753.tif 000004
【図３】
2004121753.tif 000005
【図４】
2004121753.tif 000006
【図５】
2004121753.tif 000007
【図６】
2004121753.tif 000008
【図７】
2004121753.tif 000009
【図８】
2004121753.tif 000010